(57)【特許請求の範囲】
【請求項１】
容器の口頸部に装着される蓋本体と、該蓋本体の上面を覆う閉位置と該蓋本体の上面を露呈せしめる開位置との間を旋回自在に第一のヒンジ手段を介して該蓋本体に接続された中間蓋と、該中間蓋の上面を覆う閉位置と該中間蓋の上面を露呈せしめる開位置との間を旋回自在に第二のヒンジ手段を介して該中間蓋に接続された外蓋とを具備する容器蓋において、
該蓋本体は、該容器の該口頸部を覆う閉塞壁及び該閉塞壁の周縁から垂下する筒状側壁を含み、該閉塞壁にはその上面周縁部から上方に突出する排出案内筒が配設されていると共に、該排出案内筒よりも半径方向内側にて除去領域を規定する環状破断可能ラインが配設され、更に該除去領域の上面には引張手段が配設されており、該引張手段を引張って該環状破断可能ラインを破断せしめて該除去領域を該閉塞壁から除去することによって、該閉塞壁に大量排出開口が形成され、或いは該排出案内筒よりも半径方向内側に予め大量排出開口が形成されており、
該中間蓋は、該中間蓋が該閉位置に位置せしめられると該蓋本体の上方に位置する上面壁、該上面壁の周縁から垂下する筒状側面壁を含み、該筒状側面壁が該第一のヒンジ手段を介して該蓋本体に旋回自在に接続されており、該上面壁には円形開口と該円形開口の周縁において上方に突出する突出筒が形成され、該円形開口及び該突出筒によって装着開口が規定され、該装着開口には小量排出部材が装着され、該上面壁には更に該装着開口よりも半径方向外側において下方に延出するシール筒が形成されており、該中間蓋が該閉位置に位置せしめられると該シール筒が該蓋本体の該排出案内筒の内周面に密接せしめられ、
該小量排出部材は柔軟な材料から形成され、該小量排出部材は該装着開口を閉塞する遮蔽壁と該遮蔽壁の周縁から下方に垂下する垂下筒を備え、該垂下筒と共に該突出筒は比較的大径の筒状下部と、円環状中間部と、比較的小径の筒状上部とを有し、該小量排出部材は該装着開口の下方から挿入せしめられ該垂下筒の該中間部の上面が該突出筒の該中間部の下面に係合せしめられると共に、該垂下筒の該下部の外周面が該突出筒の該下部の内周面に弾性的に密接せしめられることにより該装着開口に装着され、容器内圧が上昇せしめられると該遮蔽壁に小量排出開口が生成され、
該外蓋は、天面壁及び該天面壁の周縁から垂下する筒状スカート壁を含み、該スカート壁が該第二のヒンジ手段を介して該中間蓋に旋回自在に接続されている、
ことを特徴とする容器蓋。
【請求項２】
該小量排出部材の該遮蔽壁には少なくとも１個のスリットが配設されている、請求項１に記載の容器蓋。
【請求項３】
該小量排出部材の該遮蔽壁は凹状であり、容器内圧が上昇せしめられると突状に変形され該スリットが拡張されて該小量排出開口が生成される、請求項２に記載の容器蓋。
【請求項４】
該スリットは十字形状である、請求項２又は３に記載の容器蓋。
【請求項５】
該外蓋の該天面壁は、該外蓋が該閉位置に位置せしめられると該小量排出部材の該遮蔽壁の上面の少なくとも一部に密接せしめられる密封部を有する、請求項１から４までのいずれかに記載の容器蓋。
【請求項６】
該外蓋の該天面壁は、該外蓋が該閉位置に位置せしめられると該中間蓋の該上面壁に密接せしめられて該装着開口を密封するシール片を有する、請求項１から５までのいずれかに記載の容器蓋。
【請求項７】
該第一のヒンジ手段と該第二のヒンジ手段とは６０乃至１５０度の角度間隔をおいて配置されている、請求項１から６までのいずれかに記載の容器蓋。
【請求項８】
該蓋本体の該筒状側壁の内周面には被係止突条が形成されており、該容器の該口頸部に該蓋本体を被嵌し該蓋本体を下方に強制して、該蓋本体の該被係止突条を該容器の該口頸部の外周面上部に形成されている係止突条に係止せしめることによって、該容器の該口頸部に該蓋本体が装着される、請求項１から７までのいずれかに記載の容器蓋。
【発明の詳細な説明】
【技術分野】
【０００１】
本発明は、それに限定されるものではないが特に液体調味料を収容した容器に適する、内容物の小量排出と大量排出との選択が可能な容器蓋に関する。
【背景技術】
【０００２】
下記特許文献１乃至３には、液体調味料の如き内容物を収容した容器に適した容器蓋として、容器の口頸部に装着される蓋本体と、蓋本体の上面を覆う閉位置と蓋本体の上面を露呈せしめる開位置との間を旋回自在に蓋本体に接続された中間蓋と、中間蓋の上面を覆う閉位置と中間蓋の上面を露呈せしめる開位置との間を旋回自在に中間蓋に接続された外蓋とを具備する容器蓋が開示されている。蓋本体には大量排出開口が形成され、中間蓋には小量排出開口が形成されており、閉位置に位置せしめられている中間蓋に対して外蓋を開位置に旋回せしめると、小量排出開口が開放されて内容物を小量排出することが可能になり、蓋本体に対して中間蓋を閉位置から開位置に旋回せしめると、大量排出開口が開放されて内容物を大量排出することが可能になる。
【先行技術文献】
【特許文献】
【０００３】
【特許文献１】実願平１−１３２５８９（実開平３−７２６５６）のマイクロフィルム
【特許文献２】特許第４６３０３１５号公報
【特許文献３】特許第５１８６２８５号公報
【発明の概要】
【発明が解決しようとする課題】
【０００４】
然るに、小量排出と大量排出とを選択することができる従来の容器蓋には、小量排出開口を通して内容物を小量排出した後に内容物の液だれが生じる、大量排出開口を通して内容物を大量に排出する際に内容物の排出が充分円滑に遂行されない、大量排出開口の密封も必ずしも充分ではない、という問題がある。
【０００５】
本発明は上記事実に鑑みてなされたものであり、その主たる技術的課題は、小量排出と大量排出とが選択可能であることに加えて、小量排出開口を通して内容物を小量排出した後に内容物の液だれが生じることが防止され、大量排出開口を通して内容物を大量に排出する際には内容物の排出が適宜に案内され円滑に遂行される、そして大量排出が終了した後においては大量排出開口が充分確実に密封される、新規且つ改良された容器蓋を提供することである。
【課題を解決するための手段】
【０００６】
本発明によれば、上記主たる技術的課題を達成する容器蓋として、容器の口頸部に装着される蓋本体と、該蓋本体の上面を覆う閉位置と該蓋本体の上面を露呈せしめる開位置との間を旋回自在に第一のヒンジ手段を介して該蓋本体に接続された中間蓋と、該中間蓋の上面を覆う閉位置と該中間蓋の上面を露呈せしめる開位置との間を旋回自在に第二のヒンジ手段を介して該中間蓋に接続された外蓋とを具備する容器蓋において、該蓋本体は、該容器の該口頸部を覆う閉塞壁及び該閉塞壁の周縁から垂下する筒状側壁を含み、該閉塞壁にはその上面周縁部から上方に突出する排出案内筒が配設されていると共に、該排出案内筒よりも半径方向内側にて除去領域を規定する環状破断可能ラインが配設され、更に該除去領域の上面には引張手段が配設されており、該引張手段を引張って該環状破断可能ラインを破断せしめて該除去領域を該閉塞壁から除去することによって、該閉塞壁に大量排出開口が形成され、或いは該排出案内筒よりも半径方向内側に予め大量排出開口が形成されており、該中間蓋は、該中間蓋が該閉位置に位置せしめられると該蓋本体の上方に位置する上面壁、該上面壁の周縁から垂下する筒状側面壁を含み、該筒状側面壁が該第一のヒンジ手段を介して該蓋本体に旋回自在に接続されており、該上面壁には円形開口と該円形開口の周縁において上方に突出する突出筒が形成され、該円形開口及び該突出筒によって装着開口が規定され、該装着開口には小量排出部材が装着され、該上面壁には更に該装着開口よりも半径方向外側において下方に延出するシール筒が形成されており、該中間蓋が該閉位置に位置せしめられると該シール筒が該蓋本体の該排出案内筒の内周面に密接せしめられ、該小量排出部材は柔軟な材料から形成され、該小量排出部材は該装着開口を閉塞する遮蔽壁と該遮蔽壁の周縁から下方に垂下する垂下筒を備え、該垂下筒と共に該突出筒は比較的大径の筒状下部と、円環状中間部と、比較的小径の筒状上部とを有し、該小量排出部材は該装着開口の下方から挿入せしめられ該垂下筒の該中間部の上面が該突出筒の該中間部の下面に係合せしめられると共に、該垂下筒の該下部の外周面が該突出筒の該下部の内周面に弾性的に密接せしめられることにより該装着開口に装着され、容器内圧が上昇せしめられると該遮蔽壁に小量排出開口が生成され、該外蓋は、天面壁及び該天面壁の周縁から垂下する筒状スカート壁を含み、該スカート壁が該第二のヒンジ手段を介して該中間蓋に旋回自在に接続されている、ことを特徴とする容器蓋が提供される。
【０００７】
好ましくは、該小量排出部材の該遮蔽壁には少なくとも１個のスリットが配設されている。該小量排出部材の該遮蔽壁は凹状であり、容器内圧が上昇せしめられると突状に変形され該スリットが拡張されて該小量排出開口が生成されるのが好適である。該スリットは十字形状であるのが好ましい。好適には、該外蓋の該天面壁は、該外蓋が該閉位置に位置せしめられると該小量排出部材の該遮蔽壁の上面の少なくとも一部に密接せしめられる密封部を有する該外蓋の該天面壁は、該外蓋が該閉位置に位置せしめられると該中間蓋の該上面壁に密接せしめられて該装着開口を密封するシール片を有するのが好適である。該第一のヒンジ手段と該第二のヒンジ手段とは６０乃至１５０度の角度間隔をおいて配置されているのがよい。好ましくは、該蓋本体の該筒状側壁の内周面には被係止突条が形成されており、該容器の該口頸部に該蓋本体を被嵌し該蓋本体を下方に強制して、該蓋本体の該被係止突条を該容器の該口頸部の外周面上部に形成されている係止突条に係止せしめることによって、該容器の該口頸部に該蓋本体が装着される。
【発明の効果】
【０００８】
外蓋を開位置に旋回して小量排出開口が形成される遮蔽壁を露呈し、次いで容器を倒立状態にし容器の胴部を圧縮して容器内圧を上昇せしめると、遮蔽壁に小量排出開口が形成され、内容物が小量排出される。容器の胴部の圧縮を解除して容器内圧を大気圧に戻すと遮蔽壁に形成された小量排出開口は閉じられ、かくして液だれが防止される。また、中間蓋を開位置に旋回して大量排出開口を通して内容物を大量排出する際には排出案内筒の案内作用によって内容物が充分円滑に排出される。大量排出が終了した後に、中間蓋を閉位置に戻すと、シール筒が排出案内筒の内周面に密接せしめられ、かくして大量排出開口が充分確実に密封される。
【図面の簡単な説明】
【０００９】
【図１】本発明に従って構成された容器蓋を、中間蓋及び外蓋を閉位置にせしめた状態で示す正面図。
【図２】図１の容器蓋を成形型から取り出した状態で示す平面図。
【図３】図１の容器蓋を成形型から取り出した状態で示す底面図。
【図４】図１において紙面に平行で且つ容器蓋の上下方向中心軸線を通る面に沿った断面図。
【図５】図１の線Ｖ−Ｖにおける断面図。
【図６】図１の容器蓋を小量排出可能状態で示す正面図。
【図７】図１の容器蓋を大量排出可能状態で示す側面図。
【発明を実施するための形態】
【００１０】
以下、本発明に従って構成された容器蓋の好適実施形態を図示している添付図面を参照して、更に詳述する。
【００１１】
図１乃至図５を参照して説明すると、本発明に従って構成された全体を番号２で示す容器蓋は、蓋本体４、中間蓋６及び外蓋８から構成されている。かかる容器蓋２は、ポリエチレン又はポリプロピレンの如き適宜の合成樹脂から射出成型又は圧縮成形することができ、成形型から取り出した状態においては図２及び図３に図示する状態である。
【００１２】
主として図４及び図５を参照して説明を続けると、蓋本体４は閉塞壁１０及びこの閉塞壁１０の周縁から垂下する筒状側壁１２を含んでいる。図示の実施形態における閉塞壁１０は、実質上水平に延在する中央円形主部１０ａ、この主部１０ａの外周縁から半径方向外側に向かって上方に傾斜して延在する逆円錐台形状の中間部１０ｂ、及び中間部１０ｂの上端から半径方向外方向に実質上水平に延びる円環状外周部１０ｃを有する。側壁１２は閉塞壁１０の外周縁から実質上鉛直に下方に垂下する円筒形状である。閉塞壁１０の外周部１０ｃの上面には半径方向外側に向かって上方に傾斜して突出する円環状係止突条１４が形成されている。閉塞壁１０の外周部１０ｃと中間部１０ｂとの境界域には上方に延出する略円筒形状の排出案内筒１６が形成されており、排出案内筒１６の上端には略半円形状の排出リップが形成されている。閉塞壁１０の主部１０ａ（従って、排出案内筒１６よりも半径方向内側）には、除去領域１８を規定する環状破断可能ライン２０が配設されている。除去領域１８は略楕円形状(図２及び図３を参照されたい)であり、破断可能ライン２０は主部１０ａの下面に溝を形成することによって肉厚を局部的に低減することによって構成されている。除去領域１８の上面には上方に延びる支柱とこの支柱の上端に接続されたリングとから構成された引張手段２２が形成されている。更に、閉塞壁１０の外周部１０ｃの下面には、下方に延出する略円筒形状のシール片２４が配設されている。側壁１２の内周面下端部には環状係止突条２６が形成されている。側壁１２には、更に、容器の口頸部から蓋本体４を充分容易に除去することを可能にするそれ自体は周知のスリット２８が形成されている。
【００１３】
中間蓋６は上面壁３０及びこの上面壁３０の周縁から垂下する筒状側面壁３２を含んでいる。図示の実施形態における上面壁３０は平面図において環形状であり、その下面外周縁部には実質上鉛直に下方に垂下する円筒形状のシール筒３４が配設されている。上面壁３０の上面外周縁部には半径方向外側に向かって上方に傾斜して突出する円環状係止突条３６が形成されている。更に、上面壁３０の中央部には装着開口３８が形成されている。より詳細には、上面壁３０の中央部には円形開口３９が形成されており、この円形開口３９の周縁から上方に突出する突出筒４０が形成され、かかる円形開口３９及び突出筒４０によって装着開口３８が規定されている。上記装着開口３８は、図２乃至図４を参照することによって理解されるとおり、上面壁３０の中心に対して図２乃至図４において幾分左方に偏心して配設されている。突出筒４０は比較的大径の筒状下部４０ａと、実質上水平に延びる円環状中間部４０ｂと、比較的小径の筒状上部４０ｃと、を有する。装着開口３８にはシリコンの如き柔軟な材料から形成されている小量排出部材４２が装着されている。小量排出部材４２は装着開口３８を閉塞する遮蔽壁４４と遮蔽壁４４の周縁から下方に垂下する垂下筒４５から構成されている。遮蔽壁４４は平面図において円形であり、その縦断面形状においては凹形状である。遮蔽壁４４には少なくとも１個（図示の実施形態においては７個）の十字形状のスリット４６が形成されている。垂下筒４５は比較的大径の筒状下部４５ａと、実質上水平に延びる円環状中間部４５ｂと、比較的小径の筒状上部４５ｃと、を有する。小量排出部材４２は装着開口３８の下方から挿入せしめられ垂下筒４５の中間部４５ｂの上面が突出筒４０の中間部４０ｂの下面に係合せしめられると共に、垂下筒４５の下部４５ａの外周面が突出筒４０の下部４０ａの内周面に弾性的に密接せしめられることにより装着開口３８に装着される。側面壁３２の内周面下部には環状係止溝４８が形成されている。側面壁３２の下端部はそれ自体周知の形態でよいヒンジ手段５０（このヒンジ手段５０は第一のヒンジ手段を構成する）を介して上記蓋本体４の側壁１２の上端部に接続されており、中間蓋６は図１、図４及び図５に図示する閉位置と図７に図示する開位置との間を旋回動せしめられる。側面壁３２の下端部におけるヒンジ手段５０に対して直径方向反対側には、中間蓋６を旋回せしめる際に指を掛けることができる弧状突出片５１（図２、図３、図６及び図７を参照されたい）が配設されている。中間蓋６が閉位置にせしめられると、中間蓋６の上面壁３０が蓋本体４を覆う。そして、中間蓋６の側面壁３２の内周面に形成されている係止溝４８が蓋本体４に形成されている係止突条１４に係止せしめられる。更に、中間蓋６のシール筒３４の外周面が蓋本体４の排出案内筒１６の内周面に密接せしめられる。
【００１４】
外蓋８は天面壁５２及びこの天面壁５２の周縁から垂下する筒状スカート壁５４を含んでいる。スカート壁５４の下端部はそれ自体周知の形態でよいヒンジ手段５６（このヒンジ手段５６は第二のヒンジ手段を構成する）を介して上記中間蓋６の側面壁３２の上端部に接続されており、外蓋８は図１、図４及び図５に図示する閉位置と図６に図示する開位置との間を旋回動自在である。図示の実施形態においては、天面壁５２は円形状であり、その直径は中間蓋６の上面壁３０の直径よりも幾分小さい。スカート壁５４は全体として円筒形状であるが、ヒンジ手段５６に近接する部位の下端部には、接続部５７が付設されている。接続部５７は実質上水平に延びる平坦部５７ａと平坦部５７ａの半径方向外側端から下方に実質上垂直に延びる垂下部５７ｂとを有し、上記したヒンジ手段５６はこの垂下部５７ｂの外側面に接続されている。ヒンジ手段５６の直径方向反対側における天面壁５２の外周縁には、外蓋８を旋回動せしめる際に指を掛けることができる弧状突出片５８（図２、図３、図６及び図７を参照されたい）が形成されている。スカート壁５４の内周面下端部には、接続部５７が付設されている部位を除き、円弧状係止溝６０が形成されている。天面壁５２には、外蓋８が閉位置に位置せしめられた際に小量排出部材４２の遮蔽壁４４の中央と対向する位置に、密封部６２が形成されている。密封部６２は平面図において円形であり、その縦断面図においては下方に弧状に突出している。天面壁５２には更に、密封部６２の半径方向外方において天面壁５２の内面から下方に延出する略円筒形状シール片６４が配設されている。
【００１５】
外蓋８が図１、図４及び図５に図示する閉位置に位置せしめられている時には、外蓋８のスカート壁５４の下端部に接続部５７が形成されていない領域において係止溝６０が中間蓋６の係止突条３６に係止せしめられ、これによって外蓋８が閉位置に維持される。一方、外蓋８のスカート壁５４の下端部に接続部６０が形成されている領域においては接続部５７の平坦部５７ａの半径方向内側端部の内側面が中間蓋６の係止突条３６の上端に当接せしめられる。更に、外蓋８が中間蓋６に対して閉位置に位置せしめられた状態においては、天面壁５２に形成された密封部６２が装着開口３８に装着された小量排出部材４２の遮蔽壁４４の上面中央部、より詳細には遮蔽壁４４上にスリット４６が形成された領域を含む領域、に密接せしめられる。これにより、外蓋８と共に中間蓋６が閉位置に位置せしめられているときに容器内圧が上昇せしめられた場合であっても遮蔽壁４４が突状に変形されスリット４６が拡張されて小量排出開口が生成され内容物がこの小量排出開口から排出されることが防止される。外蓋８が中間蓋６に対して閉位置に位置せしめられた状態においては更に、天面壁５２に形成されたシール片６４の内周面が突出筒４０の上部４０ｃの外周面と密接せしめられる（所望ならば、シール片６４の外周面を突出筒４０の上部４０ｃの内周面と密接せしめられるようにシール片６４を位置せしめてもよい）。これにより、上記した小量排出開口からの内容物の排出がより確実に防止されることとなる。
【００１６】
蓋本体４に中間蓋６を旋回自在に接続しているヒンジ手段５０と中間蓋６に外蓋８を旋回自在に接続しているヒンジ手段５６とは６０乃至１５０度の角度間隔をおいて配設されているのが好都合である。図示の実施形態においては、図２及び図３を参照することによって明確に理解される如く、蓋本体４に中間蓋６を旋回自在に接続しているヒンジ手段５０と中間蓋６に外蓋８を旋回自在に接続しているヒンジ手段５６とは９０度の角度間隔をおいて配設されている。
【００１７】
図１、図４乃至図７には、本発明に従って構成された容器蓋２と共に、容器蓋２が適用される容器の口頸部６６も図示されている。ポリエチレンテレフタレートの如き適宜の合成樹脂から形成することができる容器は全体として円筒形状の口頸部６６を有し、かかる口頸部６６の外周面上端部には環状被係止突条６８が形成されている。口頸部６６の外周面には、更に、被係止突条６８の下方に位置するサポートリング７０も形成されている。
【００１８】
例えば液体調味料である内容物を容器内に充填した後に口頸部６６に容器蓋２を装着して口頸部６６を密封する際には、中間蓋６と外蓋８とが共に閉位置に位置せしめられている容器蓋２を口頸部６６に被嵌し、次いで口頸部６６に対して容器蓋２を下方に強制する。かくして、図４及び図５に明確に図示する如く、蓋本体４のシール片２４を容器の内周面に密接せしめるとともに、蓋本体４の側壁１２の内周面に形成されている係止突条２６が口頸部６６の外周面に形成されている被係止突条６８を弾性的に乗り越えてその下方に係止するようにせしめる。
【００１９】
容器内に収容されている内容物を消費する際には、最初に、閉位置に位置せしめられている外蓋８と共に中間蓋６を図１、図４及び図５に図示する閉位置から図７に図示する開位置に旋回動せしめ、蓋本体４の閉塞壁１０を露呈せしめる。次いで、引張手段２２に指を掛けて上方に引っ張って破断可能ライン２０を破断せしめて、除去領域１８を閉塞壁１０から除去して閉塞壁１０に比較的大きい大量排出開口を生成し、しかる後に外蓋８と共に中間蓋６を閉位置に戻す。
容器内に収容されている内容物を小量排出する場合には、外蓋８を図１、図４及び図５に図示する閉位置から図６に図示する開位置に旋回して小量排出開口が形成される遮蔽壁４４を露呈せしめ、次いで容器を倒立状態にし容器の胴部を圧縮する。かくすると、容器内圧が上昇せしめられ、遮蔽壁４４が図６に二点鎖線で示す如く上方に突状に変形されて十字状スリット４６が図２及び図３に二点鎖線で示すように拡張され小量排出開口が形成され、かかる小量排出開口から内容物が小量排出される。所望量の内容物を排出した後には、容器の胴部の圧縮を解除して容器内圧を大気圧に戻すことで遮蔽壁４４は元の凹状に戻りスリット４６の拡張が解除されてスリット４６が閉じられる。これにより、内容物の小量排出が停止すると共に液だれが防止される。外蓋８を閉位置に戻すと、外蓋８の密封部６２が遮蔽壁４４の上面に密接せしめられ、かくして小量排出開口が形成されるスリット４６が充分確実に密封される。
容器に収容されている内容物を大量排出する場合には、閉位置に位置せしめられている外蓋８と共に中間蓋６を図１、図４及び図５に図示する閉位置から図７に図示する開位置に旋回して、蓋本体４の閉塞壁１０を露呈せしめる。次いで、容器を傾動せしめると大量排出開口を通して内容物を大量排出することができる。生成された大量排出開口を通して内容物が大量排出される際には排出案内筒１６の案内作用によって内容物は充分円滑に排出される。大量排出が終了した後には、外蓋８と共に中間蓋６を閉位置に旋回動せしめる。かくすると、中間蓋６のシール筒３４の外周面が蓋本体４の排出案内筒１６の内周面に密接せしめられ、これによって排出案内筒１６を経由する大量排出開口が充分確実に密封される。
【００２０】
図示の実施形態においては、蓋本体４の閉塞壁１０における排出案内筒１６よりも半径方向内側に除去領域１８を規定する破断可能ライン２０を形成すると共に、除去領域１８の上面に引張手段２２を形成し、引張手段２２を引っ張ることによって除去領域１８を除去して大量排出開口を形成するように構成されているが、これに代えて蓋本体の４の閉塞壁１０における排出案内筒１６よりも半径方向内側に所要形状の大量排出開口を予め形成することもできる。また、図示の実施形態における小量排出部材４２は容器内圧が上昇せしめられると拡張されて小量排出開口を生成するスリット４６が形成されている形態であるが、所望ならば他の形態の小量排出部材、例えば特許第４０４３６８２号公報に開示されている弁板を備えた形態の小量排出部材を採用することもできる。
【符号の説明】
【００２１】
２：容器蓋
４：蓋本体
６：中間蓋
８：外蓋
１０：蓋本体の閉塞壁
１２：蓋本体の側壁
１６：排出案内筒
１８：除去領域
２０：破断可能ライン
２２：引張手段
３０：中間蓋の上面壁
３２：中間蓋の側面壁
３４：シール筒
３８：装着開口
４２：小量排出部材
４４：遮蔽壁
４６：スリット
５０：ヒンジ手段（第一のヒンジ手段）
５２：外蓋の天面壁
５４：外蓋のスカート壁
５６：ヒンジ手段（第二のヒンジ手段）
【図１】
0006448323.tif 000002
【図２】
0006448323.tif 000003
【図３】
0006448323.tif 000004
【図４】
0006448323.tif 000005
【図５】
0006448323.tif 000006
【図６】
0006448323.tif 000007
【図７】
0006448323.tif 000008